【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
配線板に実装された発熱部品を冷却する冷却装置であって、
上記発熱部品に熱的に接続された受熱部と、
上記受熱部から離れた位置で上記発熱部品の熱を放出する放熱部と、
上記受熱部に伝えられた上記発熱部品の熱を上記放熱部に移送するとともに、上記受熱部と上記放熱部とを連結する熱移送手段と、
上記放熱部に冷却風を送風するファンと、を具備し、
上記放熱部は、上記ファンに向けて突出する第１および第２のブラケットを有し、上記ファンは、上記第１および第２のブラケットに固定されて上記放熱部を基準とする位置に保持されていることを特徴とする冷却装置。
【請求項２】
請求項１の記載において、上記熱移送手段は、パイプ状の金属製容器を有するヒートパイプであり、このヒートパイプの金属製容器が上記受熱部と上記放熱部との位置関係を規定していることを特徴とする冷却装置。
【請求項３】
請求項２の記載において、上記ファンは、冷却風を吐き出す吐出口が形成されたファンケースと、このファンケースに収容された羽根車とを有し、上記ファンケースは上記吐出口を上記放熱部に向けた姿勢で上記第１および第２のブラケットに固定されていることを特徴とする冷却装置。
【請求項４】
請求項３の記載において、上記受熱部、上記放熱部および上記熱移送手段は、一つのモジュールとして組み立てられるとともに、上記受熱部を介して上記配線板に保持されていることを特徴とする冷却装置。
【請求項５】
請求項１の記載において、上記放熱部は、互いに間隔を存して配置された複数の熱交換板と、上記熱交換板の並び方向に沿う一端に位置する第１の端部と、上記熱交換板の並び方向に沿う他端に位置する第２の端部と、を有し、
上記第１のブラケットは、上記放熱部の第１の端部に形成され、上記第２のブラケットは、上記放熱部の第２の端部に形成されていることを特徴とする冷却装置。
【請求項６】
発熱部品を冷却する冷却装置であって、
上記発熱部品に熱的に接続された受熱部と、
上記受熱部から離れた位置に設けられ、互いに間隔を存して並べられた複数の熱交換板を有するフィンユニットと、
上記受熱部と上記フィンユニットとを連結する金属管を有し、この金属管に封入された冷媒を用いて上記受熱部に伝えられた上記発熱部品の熱を上記フィンユニットに移送する熱移送手段と、
上記フィンユニットに冷却風を送風するファンと、を具備し、
上記フィンユニットは、上記熱交換板の並び方向に沿う一端に位置する第１の端部と、上記熱交換板の並び方向に沿う他端に位置する第２の端部と、上記第１の端部から上記ファンに向けて突出する第１のブラケットと、上記第２の端部から上記ファンに向けて突出する第２のブラケットと、を有し、
上記ファンは、上記第１および第２のブラケットに固定されて上記フィンユニットを基準とする位置に保持されていることを特徴とする冷却装置。
【請求項７】
請求項６の記載において、上記ファンは、冷却風を吐き出す吐出口が形成されたファンケースと、このファンケースに収容された羽根車とを有し、上記ファンケースは上記吐出口を上記フィンユニットに向けた姿勢で上記第１および第２のブラケットに固定されていることを特徴とする冷却装置。
【請求項８】
請求項７の記載において、上記第１のブラケットは、上記フィンユニットの第１の端部に位置された上記熱交換板に形成され、上記第２のブラケットは、上記フィンユニットの第２の端部に位置された上記熱交換板に形成されていることを特徴とする冷却装置。
【請求項９】
筐体と、
上記筐体に収容され、発熱部品が実装された配線板と、
上記筐体に収容され、上記発熱部品を冷却する冷却装置と、を有する電子機器であって、
上記冷却装置は、
上記発熱部品に熱的に接続された受熱部と、
上記受熱部から離れた位置で上記発熱部品の熱を放出する放熱部と、
上記受熱部に伝えられた上記発熱部品の熱を上記放熱部に移送するとともに、上記受熱部と上記放熱部とを連結する熱移送手段と、
上記放熱部に冷却風を送風するファンと、を具備し、
上記放熱部は、上記ファンに向けて突出する第１および第２のブラケットを有し、上記ファンは、上記第１および第２のブラケットに固定されて上記放熱部を基準とする位置に保持されていることを特徴とする電子機器。
【請求項１０】
請求項９の記載において、上記冷却装置の受熱部、放熱部および熱移送手段は、一つのモジュールとして組み立てられているとともに、上記受熱部を介して上記配線板に保持されていることを特徴とする電子機器。
【請求項１１】
請求項９の記載において、上記放熱部は、互いに間隔を存して並べられた複数の熱交換板と、上記熱交換板の並び方向に沿う一端に位置する第１の端部と、上記熱交換板の並び方向に沿う他端に位置する第２の端部と、を有し、
上記第１のブラケットは、上記放熱部の第１の端部に形成され、上記第２のブラケットは、上記放熱部の第２の端部に形成されていることを特徴とする電子機器。
【請求項１２】
請求項１１の記載において、上記ファンは、冷却風を吐き出す吐出口が形成されたファンケースと、このファンケースに収容された羽根車とを有し、上記ファンケースは上記吐出口を上記放熱部に向けた姿勢で上記第１および第２のブラケットに固定されているとともに、上記筐体は上記放熱部と向かい合う排気口を有することを特徴とする電子機器。
【手続補正２】
【補正対象書類名】明細書
【補正対象項目名】００１４
【補正方法】変更
【補正の内容】
【００１４】
上記目的を達成するため、本発明の一つの形態に係る冷却装置は、配線板上の発熱部品に熱的に接続された受熱部と、上記受熱部から離れた位置で上記発熱部品の熱を放出する放熱部と、上記受熱部に伝えられた上記発熱部品の熱を上記放熱部に移送するとともに、上記受熱部と上記放熱部とを連結する熱移送手段と、上記放熱部に冷却風を送風するファンと、を具備している。
上記放熱部は、上記ファンに向けて突出する第１および第２のブラケットを有し、上記ファンは、上記第１および第２のブラケットに固定されて上記放熱部を基準とする位置に保持されていることを特徴としている。
【手続補正３】
【補正対象書類名】明細書
【補正対象項目名】００１５
【補正方法】変更
【補正の内容】
【００１５】
上記目的を達成するため、本発明の一つの形態に係る電子機器は、筐体と、上記筐体に収容され、発熱部品が実装された配線板と、上記筐体に収容され、上記発熱部品を冷却する冷却装置と、を具備している。
上記冷却装置は、上記発熱部品に熱的に接続された受熱部と、上記受熱部から離れた位置で上記発熱部品の熱を放出する放熱部と、上記受熱部に伝えられた上記発熱部品の熱を上記放熱部に移送するとともに、上記受熱部と上記放熱部とを連結する熱移送手段と、上記放熱部に冷却風を送風するファンと、を備え、
上記放熱部は、上記ファンに向けて突出する第１および第２のブラケットを有し、上記ファンは、上記第１および第２のブラケットに固定されて上記放熱部を基準とする位置に保持されていることを特徴としている。
【手続補正４】
【補正対象書類名】明細書
【補正対象項目名】００６３
【補正方法】変更
【補正の内容】
【００６３】
図１３に示すように、ファンケース３７は、平板状の第１および第２のブラケット７１，７２を有している。第１のブラケット７１は、ファンケース３７の一側部の側面に固定されて、吐出口４０の開口端からフィンユニット１７の第１の端部１７ａに向けて突出している。第２のブラケット７２は、ファンケース３７の他側部の側面に固定されて、吐出口４０の開口端からフィンユニット１７の第２の端部１７ｂに向けて突出している。このため、第１のブラケット７１と第２のブラケット７２とは、吐出口４０を間に挟んで互いに向かい合っている。
【手続補正５】
【補正対象書類名】明細書
【補正対象項目名】００８０
【補正方法】変更
【補正の内容】
【００８０】
４…筐体、１０…配線板（プリント配線板）、１１…発熱部品(CPU)、１５…冷却装置、１６…受熱部、１７…放熱部（フィンユニット）、１８…熱移送手段（ヒートパイプ）、１９…ファン（遠心ファン）、３１…熱交換板、３４…金属管（容器）、４１…第１のブラケット、４２…第２のブラケット。